(57)【要約】【課題】投光ファイバ及び受光ファイバの太さが変わっても光学的に接続すべき発光素子及び受光素子と光軸を正確に一致させて固定することができる汎用性を有する光ファイバ固定装置を提供する。【解決手段】投光ファイバ６及び受光ファイバ７を挟んで保持する対向した一対の保持板１２，１３と、これらの保持板を互いに平行に近接・離反移動可能に支持するガイド部材１４，１５と、対向した一対の保持板の間隔をガイド部材に沿って狭めて投光ファイバ及び受光ファイバを拘束する拘束手段１６と、拘束手段を投光ファイバ及び受光ファイバの拘束位置又は拘束解除位置に移動させる操作部材１９とを備えた構成としたものである。【選択図】図４
2007147933.tif 000002
【特許請求の範囲】
【請求項１】
投光ファイバ及び受光ファイバを夫々挟んで保持する対向した一対の保持板と、
前記対向した一対の保持板を互いに平行に近接・離反移動可能に支持するガイド部材と、
前記対向した一対の保持板の間隔を前記ガイド部材に沿って狭めて前記投光ファイバ及び受光ファイバを拘束する拘束手段と、
前記拘束手段を前記投光ファイバ及び受光ファイバの拘束位置又は拘束解除位置に移動させる操作部材とを備えたことを特徴とする光ファイバ固定装置。
【請求項２】
前記拘束手段は可撓性を有し、かつ光ファイバ挿入方向で見て略角形Ｕ字状をなして前記対向した一対の保持板を挟持し、中央部が前記操作部材に係合し、両側部が前記操作部材の操作に応じて前記対向した一対の保持板を移動させる押圧移動部材であることを特徴とする、請求項１に記載の光ファイバ固定装置。
【請求項３】
前記拘束手段は、光ファイバ挿入方向で見て略角形Ｕ字状をなしかつ前記対向した一対の保持板の外側に配置され開口端近傍が前記対向した一対の保持板に弾性状態で接触する板バネと、
光ファイバ挿入方向で見て略角形Ｕ字状をなして前記板バネを挟持し、中央部が前記操作部材に係合し、両側部が前記操作部材の操作に応じて前記板バネの両側部を押動して前記対向した一対の保持板を移動させる押圧移動部材とからなることを特徴とする、請求項１に記載の光ファイバ固定装置。
【請求項４】
前記対向した一対の保持板は、前記投光ファイバ及び受光ファイバを保持するための対向するＶ溝であって前記投光ファイバ及び受光ファイバを夫々周方向に２箇所ずつ線接触させる保持溝が形成されていることを特徴とする、請求項１乃至請求項３の何れかに記載の光ファイバ固定装置。
【発明の詳細な説明】
【技術分野】
【０００１】
本発明は、発光素子及び受光素子に投光ファイバ及び受光ファイバを光学的に接続する際にこれらの投光ファイバ及び受光ファイバを固定するための光ファイバ固定装置に関する。
【背景技術】
【０００２】
光ファイバ同士や発光素子及び受光素子と投光ファイバ及び受光ファイバとを光学的に接続する場合、両者の光軸を正確に一致させた状態でこれらを固定することが必要である。このような光ファイバ固定装置としては、外部から操作されて一対の回転軸を中心に回動する操作部と、投光ファイバ及び受光ファイバが挿通される各挿通孔を形成すると共に前記操作部の回動により投光ファイバ及び受光ファイバを夫々締め付けて固定する締付部と、一対の回転軸の軸受け部を形成すると共に前記投光ファイバ及び受光ファイバの締付状態において前記操作部と締付部との間に作用する締付反力を受ける支持フレームとを備えた構成のものがある（例えば、特許文献１参照。）。
【特許文献１】特開平９−３０４６５３号公報（２−３頁、図３）
【発明の開示】
【発明が解決しようとする課題】
【０００３】
しかしながら、前記光ファイバ固定装置は、締付部の投光ファイバ及び受光ファイバの各挿通孔の穴径と前記投光ファイバ及び受光ファイバの太さが略一致していることが必要であり、これらの投光ファイバ及び受光ファイバの太さが挿通孔の穴径よりも細い場合には、良好に締め付け固定することができなくなり、この結果、挿通孔の中心と投光ファイバ及び受光ファイバの中心とがずれてしまい発光素子及び受光素子の光軸に正確に一致させることができなくなるという問題がある。
【０００４】
また、図９に示すように上部が支持軸１に回動自在に支持され当該支持軸を中心に開閉する一対の保持板２，３の対向する内側面２ａ，３ａに支持軸１を中心として半径方向に投光ファイバ６、受光ファイバ７を狭持するための対向するＶ溝２Ａ，３Ａ，２Ｂ，３Ｂを設け、これらの保持板２，３を夫々矢印方向に回動させて２点鎖線で示すように対向するＶ溝２Ａと３Ａ、Ｖ溝２Ｂと３Ｂとの各内面により投光ファイバ６、受光ファイバ７を周方向に２箇所ずつ線接触させて挟持する構造の光ファイバの固定装置も考えられる。
【０００５】
このような構造の光ファイバ固定装置は、投光ファイバ６、受光ファイバ７の太さが２点鎖線で示すように一対の保持板２と３とが略平行に対向した状態において、対向するＶ溝２Ａと３Ａ、Ｖ溝２Ｂと３Ｂの各内面が投光ファイバ６、受光ファイバ７の各外周面に夫々均等に線接触して挟持し得る太さであれば特に問題はない。
【０００６】
しかしながら、対向する保持板２，３が支持軸１を中心に円弧を描いて回動するために図１０に示すように投光ファイバ８、受光ファイバ９の太さが図９に示す投光ファイバ６、受光ファイバ７よりも太い場合、保持板２と３が実線で示す位置に回動して支持軸１に近い側（支持軸からの半径が小さい側）のＶ溝２Ａと３Ａの内面が投光ファイバ８の外周面に接触した状態において支持軸１から遠い側（支持軸からの半径が大きい側）のＶ溝２Ｂと３Ｂの内面が受光ファイバ９の外周面から離隔している。そして、保持板２と３が２点鎖線で示すように更に回動して支持軸１から遠い側のＶ溝２Ｂと３Ｂの内面が受光ファイバ９に接触して挟持したときには前記支持軸１から近い側のＶ溝２Ａと２Ｂによる投光ファイバ８への接触力（押圧力）が大きくなる。
【０００７】
このため、保持板２と３とが投光ファイバ８と受光ファイバ９とに均等の接触力（押圧力）で線接触して挟持することができなくなり、これらの投光ファイバ８及び受光ファイバ９と発光素子及び受光素子（共に図示せず）との間で微妙に芯ずれを起こすおそれがある。投光ファイバ及び受光ファイバの太さが図９に示す場合よりも細い場合についても同様である。従って、上記構成においては投光ファイバ及び受光ファイバの太さが異なる仕様に対して好ましい状態で使用することができず、汎用性を持たせることができないという問題がある。更に、支持軸１から近い側のＶ溝２Ａと３Ａに挟持される投光ファイバ８への接触力が大きくなり、当該投光ファイバ８に過大な負荷が加わるという不具合もある。
【０００８】
本発明の目的は、投光ファイバ及び受光ファイバの太さが変わっても光学的に接続すべき発光素子及び受光素子と光軸を正確に一致させて固定することができる汎用性を有する光ファイバ固定装置を提供することにある。
【課題を解決するための手段】
【０００９】
上述した課題を解決するために、本発明に係わる光ファイバ固定装置は、投光ファイバ及び受光ファイバを夫々挟んで保持する対向した一対の保持板と、前記対向した一対の保持板を互いに平行に近接・離反移動可能に支持するガイド部材と、前記対向した一対の保持板の間隔を前記ガイド部材に沿って狭めて前記投光ファイバ及び受光ファイバを拘束する拘束手段と、前記拘束手段を前記投光ファイバ及び受光ファイバの拘束位置又は拘束解除位置に移動させる操作部材とを備えたことを特徴としている。
【００１０】
操作部材が操作されて拘束手段が投光ファイバ及び受光ファイバの拘束解除位置に移動されると、対向した一対の保持板がガイド部材に沿って平行に離反する方向に移動可能となる。対向した一対の保持板は、この位置において投光ファイバ及び受光ファイバの挿入又は取り出しが可能となる。対向した一対の保持板の間に投光ファイバと受光ファイバを挿入した後、操作部材により拘束手段が投光ファイバ及び受光ファイバの拘束位置に移動されると、対向した一対の保持板がガイド部材に沿って互いに平行に近接する方向に移動して投光ファイバ及び受光ファイバを挟持して固定する。
【００１１】
対向した一対の保持板は、互いに平行に近接方向に移動することで投光ファイバ及び受光ファイバの太さが変わっても発光素子及び受光素子と光軸を正確に一致させて固定することができる。また、投光ファイバと受光ファイバを同じ接触力（押圧力）で均等に挟持することができる。
【００１２】
また、本発明の請求項２に記載の光ファイバ固定装置は、請求項１に記載の光ファイバ固定装置において、前記拘束手段は可撓性を有し、かつ光ファイバ挿入方向で見て略角形Ｕ字状をなして前記対向した一対の保持板を挟持し、中央部が前記操作部材に係合し、両側部が前記操作部材の操作に応じて前記対向した一対の保持板を移動させる押圧移動部材であることを特徴としている。
【００１３】
押圧移動部材は、操作部材が拘束解除位置に操作されたときに対向した一対の保持板をガイド部材に沿って互いに平行に離反する方向に移動可能とし、操作部材が拘束位置に操作されると、可撓性を有する両側部が対向した一対の保持板を弾性的に押圧してガイド部材に沿って互いに平行に近接方向に移動させ、投光ファイバ及び受光ファイバを挟持固定する。
【００１４】
また、本発明の請求項３に記載の光ファイバ固定装置は、請求項１に記載の光ファイバ固定装置おいて、前記拘束手段は、光ファイバ挿入方向で見て略角形Ｕ字状をなしかつ前記対向した一対の保持板の外側に配置され開口端近傍が前記対向した一対の保持板に弾性状態で接触する板バネと、光ファイバ挿入方向で見て略角形Ｕ字状をなして前記板バネを挟持し、中央部が前記操作部材に係合し、両側部が前記操作部材の操作に応じて前記板バネの両側部を押動して前記対向した一対の保持板を移動させる押圧移動部材とからなることを特徴としている。
【００１５】
押圧移動部材及び板バネは、操作部材が拘束解除位置に操作されたときに対向した一対の保持板をガイド部材に沿って互いに平行に離反する方向に移動可能とし、前記操作部材が前記拘束位置に操作されると、押圧移動部材の両側部が板バネの両側部を押動し、この板バネの両側部が対向した一対の保持板を弾性的に押圧してガイド部材に沿って平行に近接方向に移動させる。対向した一対の保持板は、拘束位置において板バネの弾性力により投光ファイバ及び受光ファイバを挟持して固定する。
【００１６】
また、本発明の請求項４に記載の光ファイバ固定装置は、請求項１乃至請求項３の何れかの光ファイバ固定装置において、前記対向した一対の保持板は、前記投光ファイバ及び受光ファイバを保持するための対向するＶ溝であって前記投光ファイバ及び受光ファイバを夫々周方向に２箇所ずつ線接触させる保持溝が形成されていることを特徴としている。
【００１７】
対向した一対の保持板は、投光ファイバ及び受光ファイバを保持する対向した各Ｖ溝の間に夫々投光ファイバ及び受光ファイバを挟持してこれらの光ファイバを周方向に２箇所ずつかつ長手方向に沿って線接触させて保持する。
【発明の効果】
【００１８】
本発明によると、投光ファイバ及び受光ファイバの太さが変わっても光学的に接続すべき発光素子及び受光素子と光軸を正確に一致させて固定することができ、汎用性を有する光ファイバの固定装置を構成することができる。また、投光ファイバと受光ファイバを同じ接触力で均等に挟持することができ、何れか一方の光ファイバのみに過大な接触力が加わることが防止される。
【発明を実施するための最良の形態】
【００１９】
以下、本発明の一実施形態に係わる光ファイバ固定装置について図面に基づいて説明する。
【００２０】
図１乃至図３に示すように光ファイバ固定装置１１は、投光ファイバ及び受光ファイバを夫々挟んで保持する対向した左右一対の保持板１２，１３、保持板１２，１３の上下両端部１２ａと１３ａ，１２ｂと１３ｂ間に配置されてこれらの保持板１２,１３を互いに平行に近接・離反する方向に移動可能に支持するガイド部材１４，１５、保持板１２，１３の間隔をガイド部材１４，１５に沿って狭めて投光ファイバ及び受光ファイバを拘束する拘束手段１６、及び拘束手段１６を投光ファイバ及び受光ファイバの拘束位置又は拘束解除位置に移動させる操作部材１９等により構成されている。
【００２１】
保持板１２は、上下方向に長い長方形状をなし、対向する内側面の上下両端部１２ａ，１２ｂに略板厚の半分程度の切欠が設けられており、これら両端部１２ａ、１２ｂの略中央にガイド孔１２ｃ，１２ｄが奥行き方向に例えば、２個並んで穿設されている。また、保持板１２の外側面には中央よりも僅かに上方寄りの位置に断面略半円形状の係合溝１２ｅが奥行き方向に前端面から後端面まで全幅に亘り設けられている。
【００２２】
上下両端部１２ａ，１２ｂの間には投光ファイバ及び受光ファイバを保持するための保持溝としてのＶ溝１２Ａ，１２Ｂが上下二段に奥行き方向に沿って平行に形成されている（図３参照）。そして、これらのＶ溝１２Ａ，１２Ｂは、光ファイバの挿入側の開口端が面取りされており、光ファイバの挿入が容易とされている。
【００２３】
保持板１３は、保持板１２と対称に形成されている。尚、保持板１３の保持板１２と対応する各部位には対応する符号を付してある。これらの保持板１２，１３は、例えば、樹脂部材により形成されている。
【００２４】
ガイド部材１４は、ホルダ２１と２本の平行なガイド棒２２からなる（図３参照）。ホルダ２１は、対向する保持板１２，１３の上端部１２ａ，１３ａの対向する切欠の間に配置され、上端部１２ａ，１３ａの並設された前記各２つのガイド孔１２ｃ，１３ｃと対応して軸孔２１ａが穿設されている。ガイド棒２２は、ホルダ２１の軸孔２１ａに貫通固定されて両側部が側方に突出して上端部１２ａ，１３ａのガイド孔１２ｃ，１３ｃに摺動可能に挿通されている。また、ホルダ２１は、左右の保持板１２，１３が夫々近接するように内方に移動して対向する内側面が当接し得る幅とされている。
【００２５】
ガイド部材１５もガイド部材１４と同様に構成されており、対向する保持板１２，１３の下端部１２ｂ，１３ｂの切欠との間にガイド部材１４と平行に配置され、ホルダ２３に貫通固定されている２本の平行なガイド棒２４の両側部が下端部１２ｂ，１３ｂの各ガイド孔１２ｄ，１３ｄに摺動可能に挿通されている。そして、これらのホルダ２１，２３は、図３に示すように後端面が例えば、光検出装置３０の筐体３１の前端面に固定されている。このようにして対向する左右一対の保持板１２，１３は、上下両端部１２ａ，１２ｂ，１３ａ，１３ｂが夫々平行な各２本のガイド棒２２，２４により支持されて平行に近接又は離反するように移動可能とされている。
【００２６】
図３に示すように筐体３１には上下に並んで孔３１ａ，３１ｂが穿設されており、これらの孔３１ａ，３１ｂの中心は、保持板１２，１３の対向するＶ溝１２Ａと１３Ａ，１２Ｂと１３Ｂとの中心を通る軸線Ｌａ，Ｌｂと一致している。そして、これらの孔３１ａ，３１ｂには例えば、発光素子３２、受光素子３３がその発光面３２ａ、受光面３３ａを前方に向けてかつその中心位置が軸線Ｌａ，Ｌｂと一致して嵌合装着されている。
【００２７】
図１に戻り、対向する左右一対の保持板１２，１３は、最も近接した位置から最も離反した位置までの間の何れの位置においても、光ファイバを保持するための対向するＶ溝１２Ａと１３Ａ、１２Ｂと１３Ｂの各内面が前記光ファイバを夫々周方向に２箇所ずつかつ長手方向に沿って線接触して挟持することができるように形成されている。
【００２８】
従って、保持板１２，１３の移動範囲、及び各Ｖ溝１２Ａ，１２Ｂ，１３Ａ，１３Ｂの開口角は、使用可能とすべき光ファイバの太さの範囲により最適な値に設定される。これにより、保持板１２，１３は、所定の範囲内における外径の細い光ファイバから外径の太い光ファイバまで均等な接触力（押圧力）で有効に挟持して固定することが可能となる。尚、この場合対向するＶ溝１２Ａと１３Ａ，１２Ｂと１３Ｂの開口角を直角又は直角よりも僅かに大きい角度とすることで保持板１２，１３の板厚を薄くすることが可能となる。
【００２９】
拘束手段１６は、保持板１２，１３の奥行きと略同じ奥行きを有するとともに光ファイバの挿入方向から見て略角形の逆Ｕ字状（門型）をなす押圧移動部材１７からなる。この押圧移動部材１７は、両側部１７ａ，１７ｂが左右の保持板１２，１３が最大に離反した図１に示す位置において僅かな間隙を存して対向するように形成されており、下側の開口端側の内側面に保持板１２，１３の断面略半円形状の係合溝１２ｅ，１３ｅと係合、離脱可能な断面略半円形状の係合突部１７ｄ，１７ｅが前端面から後端面まで突起状をなして形成されている。この押圧移動部材１７は、可撓性を有する例えば、樹脂部材により形成されており、両側部１７ａ，１７ｂが弾性を有して側方に湾曲可能とされている。
【００３０】
この押圧移動部材１７は、両側部１７ａ，１７ｂが前記筐体３１（図３参照）に上下方向に移動可能に支持されている。そして、押圧移動部材１７は、図１に示す上限位置において両側部１７ａ，１７ｂの係合突部１７ｄ，１７ｅが左右の保持板１２，１３の係合溝１２ｅ，１３ｅに係合している。
【００３１】
図１及び図２に示すように操作部材１９は、押圧移動部材１７の中央部１７ｃの幅と略同じ長さの横長の円柱形状をなす本体部１９ａ、本体部１９ａの外周部に長手方向に沿って全長に亘り突出して形成された押動部１９ｂ、ハンドル１９ｃからなり、押動部１９ｂとハンドル１９ｃは、反対側に突出するように配置されている。また、本体部１９ａの両端に軸部１９ｄが形成されている。
【００３２】
この操作部材１９は、押圧移動部材１７の上方に配置され、軸部１９ｄが筐体３１に回動自在に軸支されている。操作部材１９は、図１乃至図３に示す回動位置（以下「第１の回動位置」という）において押動部１９ｂの傾斜する前面１９ｅが押圧移動部材１７の中央部１７ｃの上面に当接している。そして、押圧移動部材１７は、この位置が前述した上限位置とされて左右両側部１７ａ，１７ｂの係合突部１７ｄ，１７ｅが対向する左右の保持板１２，１３の係合溝１２ｅ，１３ｅに係合している。
【００３３】
操作部材１９は、ハンドル１９ｃが矢印Ｃ方向に回動されるとこれに伴い押動部１９ｂが押圧移動部材１７の中央部１７ｃの上面を押して下降させる。押圧移動部材１７は、前記上限位置から下降するに伴い両側部１７ａ，１７ｂが弾性力に抗して外方に湾曲して係合突部１７ｄ，１７ｅが係合溝１２ｅ，１３ｅから抜け出し、次いで前記弾性力により係合突部１７ｄ，１７ｅが対向する保持板１２，１３の外側面を均等に押圧して内方に平行に移動させる。
【００３４】
そして、図２に点線で示すように押圧移動部材１７は、押動部１９ｂの先端面１９ｆが押圧移動部材１７の中央部１７ｃの上面に当接したときに停止して当該位置に係止される。押圧移動部材１７は、このときの操作部材１９の回動位置（以下「第２の回動位置」という）において下限位置とされる。そして、押圧移動部材１７の係合突部１７ｄ，１７ｅは、前記下限位置において左右一対の保持部材１２，１３の外側面の略中央部を内方に押圧する。これにより、保持部材１２，１３の上下の対向するＶ溝１２Ａと１３Ａ，１２Ｂと１３Ｂとの間に夫々挿通される光ファイバの外周面を略均等の接触力（押圧力）で挟持することができる。
【００３５】
以下にこの実施形態に係わる光ファイバ固定装置の作用を説明する。
【００３６】
図１に示すように左右の保持部材１２，１３は、操作部材１９が第１の回動位置にある上限位置において間隔が最も広くなっている。そして、図３及び図４に示すように対向するＶ溝１２Ａと１３Ａ，Ｖ溝１２Ｂと１３Ｂとの間に細い投光ファイバ６、受光ファイバ７を挿通し、図３に２点鎖線で示すように投光ファイバ６の芯線６Ａの端面と発光素子３２の発光部３２ａ、受光ファイバ７の芯線７Ａの端面と受光素子３３の受光面３３ａとを突き合わせる。押圧移動部材１７は、この上限位置が投光ファイバ６及び受光ファイバ７の拘束解除位置とされている。
【００３７】
次いで、操作部材１９を図２の矢印Ｃ方向に２点鎖線で示す第２の回動位置まで回動させて押圧移動部材１７を下限位置まで下降させる。左右一対の保持板１２，１３は、押圧移動部材１７の下降に伴い係合突部１７ｄ，１７ｅにより外側面が押圧されて内方に互いに平行に移動し対向するＶ溝１２Ａと１３Ａ、Ｖ溝１２Ｂと１３Ｂの各対向する面が投光ファイバ６、受光ファイバ７の各外周面に周方向に夫々２箇所ずつかつ長手方向に沿って同時に線接触する。そして、図４に示すように押圧移動部材１７は、下限位置において両側部１７ａ，１７ｂの弾性力により投光ファイバ６、受光ファイバ７を挟持して固定する。押圧移動部材１７は、前記下限位置が投光ファイバ６及び受光ファイバ７の拘束位置とされる。
【００３８】
図５は、投光ファイバ８、受光ファイバ９の太さが図４に示す投光ファイバ６、受光ファイバ７よりも太い場合を示す。このように光ファイバの太さが太い場合でも上述と同様にして保持板１２，１３の対向するＶ溝１２Ａと１３Ａ、Ｖ溝１２Ｂと１３Ｂの各対向する面が投光ファイバ８、受光ファイバ９の各外周面に周方向に夫々２箇所ずつかつ長手方向に沿って同時に線接触し、下限位置においてこれらの投光ファイバ８、受光ファイバ９を挟持して固定することができる。
【００３９】
そして、対向する一対の保持板１２と１３とが互いに平行に近接・離反方向に移動することで図４及び図５に示すように使用する投光ファイバ及び受光ファイバの太さが変わった場合でも各芯線の中心が軸線Ｌａ、Ｌｂと常に一致するようになる（図３参照）。これにより、投光ファイバの芯線の端面と発光素子３２の発光部３２ａの中心位置、及び受光ファイバの芯線の端面と受光素子３３の受光面３３ａの中心位置とを夫々正確に一致させることができる。
【００４０】
図４において投光ファイバ６及び受光ファイバ７を取り外す場合には、操作部材１９を矢印ＣＣ方向に回動させて第１の回動位置まで戻し、押圧移動部材１７を上限位置に引き上げ保持板１２，１３を離反させて対向するＶ溝１２Ａと１３Ａ、Ｖ溝１２Ｂと１３Ｂの間隔を拡げ、投光ファイバ６、受光ファイバ７を引き抜く。
【００４１】
尚、図１に示すガイド部材１４のホルダ２１の上面と押圧移動部材１７の中央部１７ｃの下面との間にバネ部材を縮設して、操作部材１９を図４に示す第２の回動位置から図１に示す第１の回動位置に操作したときに前記バネ部材により押圧移動部材１７を前記下限位置から上限位置に自動的に復帰させるようにしてもよい。
【００４２】
前記バネ部材は、ガイド部材１４のホルダ２１の上面と押圧移動部材１７の中央部１７ｃの下面との間隔、及び押圧移動部材１７の上下方向の移動量等に応じて最適な形状のものを使用すればよく、例えば、コイルスプリング、板バネ、皿ばね等の種々のバネ部材を使用することができる。
【００４３】
図６は、本発明に係わる光ファイバ固定装置の変形例を示し、拘束手段１６を押圧移動部材１７’と板バネ１８とにより構成して板バネ１８を介して左右一対の保持板１２’，１３’を押圧移動させるようにしたものである。尚、図６において図１に示す部材と対応する部材には対応する符号を付して詳細な説明を省略する。
【００４４】
対向する左右一対の保持板１２’，１３’は、図１に示す対向する一対の保持板１２，１３の係合溝１２ｅ，１３ｅを無くして平面としたもので、他の形状は保持板１２，１３と同様に形成されている。また、押圧移動部材１７’は、両側部１７’ａ，１７’ｂの間隔を押圧移動部材１７の両側部１７ａ，１７ｂの間隔よりも僅かに幅広に形成したものであり、他の形状は同じとされている。
【００４５】
板バネ１８は、押圧移動部材１７’と反対に上方に開口する略角形のＵ字形状をなし、両側部１８ａ，１８ｂが下方から押圧移動部材１７’の両側部１７’ａ，１７’ｂと保持板１２’，１３’の外側面との間に配置されている。そして、これら両側部１８ａ，１８ｂの開口端近傍に前端面から後端面まで全幅に亘り断面略半円形状をなして内方に膨出する押動部１８ｄ，１８ｅが形成されている。
【００４６】
押動部１８ｄ，１８ｅは、凹部側が押圧移動部材１７’の係合突部１７’ｄ，１７’ｅと係合するための係合溝の機能を有すると共に突部側が左右一対の保持板１２’，１３’の外側面を押動するための突部としての機能を有している。板バネ１８は、中央部１８ｃが前記筐体３１に固定され、左右の押動部１８ｄ，１８ｅの先端が保持板１２’，１３’の外側面の略中央位置に当接されている。
【００４７】
図６に示すように操作部材１９が第１の回動位置にある場合には、押動移動部材１７’が上限位置にあり、係合突部１７’ｄ，１７’ｅが板バネ１８の押動部１８ｄ，１８ｅに係合している。板バネ１８は、両側部１８ａ，１８ｂが略平行をなしており、押動部１８ｄ，１８ｅが左右の保持板１２’，１３’の外側面に当接している。この状態において左右の保持板１２’，１３’は、間隔が最も広くなっている。
【００４８】
図７に示すように対向する保持板１２’，１３’の対向するＶ溝１２Ａ’と１３Ａ’、Ｖ溝１２Ｂ’と１３Ｂ’との間に投光ファイバ６、受光ファイバ７を挿通して操作部材１９を矢印Ｃ方向に第２の回動位置まで回動させて押圧移動部材１７’を下限位置まで下降させる。これに伴い係合突部１７’ｄ，１７’ｅが板バネ１８の押動部１８ｄ，１８ｅから抜け出して両側部１８ａ，１８ｂを押圧する。
【００４９】
板バネ１８は、両側部１８ａ，１８ｂが係合突部１７’ｄ，１７’ｅにより押圧されると図示のように湾曲し、押動部１８ｄ，１８ｅが側部１８ａ，１８ｂのバネ力により左右の保持板１２’，１３’を内方に平行に移動させ、対向するＶ溝１２’Ａと１３’Ａ、Ｖ溝１２’Ｂと１３’Ｂの各対向する面が投光ファイバ６、受光ファイバ７の各外周面に周方向に夫々２箇所ずつかつ長手方向に沿って同時に線接触する。そして、押圧移動部材１７’は、下限位置において板バネ１８を介して投光ファイバ６、受光ファイバ７を挟持して固定する。
【００５０】
図８は、投光ファイバ８、受光ファイバ９の太さが図７に示す投光ファイバ６、受光ファイバ７よりも太い場合を示す。このように投光ファイバ及び受光ファイバが太い場合でも上述と同様にして対向する一対の保持板１２’，１３’の対向するＶ溝１２’Ａと１３’Ａ、Ｖ溝１２’Ｂと１３’Ｂの各対向する面が投光ファイバ８、受光ファイバ９の各外周面に周方向に夫々２箇所ずつかつ長手方向に沿って同時に線接触し、下限位置においてこれらの投光ファイバ８及び受光ファイバ９を挟持して固定することができる。
【００５１】
尚、上記変形例において板バネ１８を、上方に開口する略角形Ｕ字状をなす形状としたが、押圧移動部材１７’と同様に下方に開口する角形Ｕ字状（門型）として当該押圧移動部材１７’の内側に配置するようにしてもよい。この場合、押動部１８ｄ，１８ｅの開口端側を図６に示す場合よりも長く延出させて、押圧移動部材１７’が下限位置に下降したときに係合突部１７’ｄ，１７’ｅが板バネ１８の両側部１８ａ，１８ｂを十分に押圧可能な形状とする。
【図面の簡単な説明】
【００５２】
【図１】本発明の一実施形態に係わる光ファイバ固定装置の一部切欠正面図である。
【図２】図１に示した光ファイバ固定装置の側面図である。
【図３】図１に示した光ファイバ固定装置の矢線III-IIIに沿う断面図である。
【図４】図１に示した光ファイバ固定装置において細い光ファイバを固定する場合の説明図である。
【図５】図１に示した光ファイバ固定装置において太い光ファイバを固定する場合の説明図である。
【図６】本発明に係わる光ファイバ固定装置の変形例を示す正面図である。
【図７】図６に示した光ファイバ固定装置において細い光ファイバを固定する場合の説明図である。
【図８】図６に示した光ファイバ固定装置において太い光ファイバを固定する場合の説明図である。
【図９】光ファイバ固定装置の一例を示す正面図である。
【図１０】図９に示す光ファイバ固定装置において太い光ファイバを固定する場合の説明図である。
【符号の説明】
【００５３】
６，８    投光ファイバ
７，９    受光ファイバ
６Ａ，７Ａ    芯線
１１    光ファイバ固定装置
１２，１３，１２’，１３’    保持板
１２ａ，１２ｂ    上端部
１３ａ，１３ｂ    下端部
１２ｃ，１２ｄ，１３ｃ，１３ｄ    ガイド孔
１２ｅ，１３ｅ    係合溝
１２Ａ，１２Ｂ，１３Ａ，１３Ｂ    Ｖ溝
１２’Ａ，１２’Ｂ，１３’Ａ，１３’Ｂ    Ｖ溝
１４，１５    ガイド部材
１６    拘束手段
１７，１７’    押圧移動部材
１７ａ，１７’ａ，１７ｂ，１７’ｂ    側部
１７ｃ，１７’ｃ    中央部
１７ｄ，１７’ｄ，１７ｅ，１７’ｅ    係合突部
１８    板バネ
１８ａ，１８ｂ    側部
１８ｃ    中央部
１８ｄ，１８ｅ    押動部
１９    操作部材
１９ａ    本体部
１９ｂ    押動部
１９ｃ    ハンドル
１９ｄ    軸部
１９ｅ    前面
１９ｆ    先端面
２１，２３    ホルダ
２１ａ，２３ａ    軸孔
２２，２４    ガイド棒
３０    光検出装置
３１    筐体
３１ａ，３１ｂ    孔
３２    発光素子
３２ａ    発光部
３３    受光素子
３３ａ    受光面
【図１】
2007147933.tif 000003
【図２】
2007147933.tif 000004
【図３】
2007147933.tif 000005
【図４】
2007147933.tif 000006
【図５】
2007147933.tif 000007
【図６】
2007147933.tif 000008
【図７】
2007147933.tif 000009
【図８】
2007147933.tif 000010
【図９】
2007147933.tif 000011
【図１０】
2007147933.tif 000012